(57)【特許請求の範囲】
【請求項１】
車両の進行方向に順に設置された湿式洗浄機、ロードマットおよびエアーブロー式洗浄機を備え、前記湿式洗浄機は、スプレー水を噴き付けてタイヤに付着した泥や土を落すスプレー水噴射ノズルを備え、前記ロードマットは、タイヤに付着した泥や土を落す複数のリブを備え、かつ前記エアーブロー式洗浄機は、タイヤに付着した泥や土を落し、さらにタイヤを乾燥させる高圧エアー噴射ノズルを備えてそれぞれ構成されていることを特徴とする車両のタイヤ洗浄装置。
【請求項２】
請求項１記載の車両のタイヤ洗浄装置において、スプレー水噴射ノズルは、スプレー水と同時に高圧エアーを噴き付けるように構成されていることを特徴とする車両のタイヤ洗浄装置。
【請求項３】
スプレー水を噴き付けてタイヤに付着した泥や土を落す第一工程と、車両にロードマットの上を走行させてロードマットのリブによってタイヤに付着した泥や土を落し、かつタイヤの遠心力によってタイヤに付着した水を除去する第二工程と、高圧エアーを噴き付けてタイヤに付着した泥や土を落し、かつタイヤを乾燥させる第三工程とからなることを特徴とする車両のタイヤ洗浄方法。
【発明の詳細な説明】
【技術分野】
【０００１】
本発明は、車両のタイヤ洗浄装置および洗浄方法に関し、主として土木工事現場を出入りするトラックやダンプカー等のタイヤの洗浄に利用され、タイヤに付着した泥や土を効率的かつ確実に落して、一般道の汚れを防止することができる。
【背景技術】
【０００２】
土木工事現場を出入りする大型トラックやダンプカー等のタイヤは、一般に泥や土などが付着して汚れがひどく、道路上に泥や土を撒き散らしたり白いタイヤの跡を残したり、さらには乾燥した泥や土の粉塵を振り撒いて他の車両や市街地を汚すため、一般道を走行する際は事前に洗浄することが求められる。
【０００３】
従来、泥や土で汚れた車両のタイヤを洗浄する方法として、高圧水によってタイヤに付着した泥や土を洗い落とす湿式洗浄(特許文献１)、タイヤが回転する際の遠心力や振動、摩擦などを利用してタイヤに付着した泥や土を落す乾式洗浄(特許文献２)、さらに水を満たしたプール内でタイヤに付着した泥や土を落とすプール洗浄(特許文献３)などが知られている。
【先行技術文献】
【特許文献】
【０００４】
【特許文献１】特開平７−３２９７３７号公報
【特許文献２】実用新案登録第３０１７８２０号
【特許文献３】特開２００４−２３７９１３号公報
【特許文献４】特開２００９−１０１７９１号公報
【特許文献５】特開平７−５２７５７号公報
【発明の概要】
【発明が解決しようとする課題】
【０００５】
しかし、タイヤを湿式洗浄しても、泥や土の細粒分を含む水が依然タイヤに付着していることが多く、このため、道路上にタイヤの跡が白い汚れとなって表れ、また乾燥して泥や土の細粒分が粉塵となって舞い、他の車両や市街地を汚す等の課題があった。
【０００６】
また、タイヤを乾式洗浄しても、タイヤの遠心力や振動を利用する程度では、タイヤの溝に詰まった泥や土まで完全に取り除くことはきわめて困難であり、特にスタッドレスタイヤ等の溝の深いタイヤの洗浄は確実に行うことができなかった。また、湿式洗浄と同様に、道路上にタイヤの跡が白い汚れとなって表れたり、乾燥して泥や土の細粒分が粉塵となって舞い、他の車両や市街地を汚す等の課題があった。さらに、洗浄時の騒音が大きいのも課題になっていた。  
【０００７】
そして、プール洗浄しても、湿式洗浄や乾式洗浄と同様の課題がある他に、泥や土の細粒分を含む水のはね返りによって他の車両を汚す等の課題もあった。
【０００８】
本発明は、以上の課題を解決するためになされたもので、主として土木工事現場を出入りする工事用トラックのタイヤの洗浄を効率的かつ確実に行うことができ、一般道の汚れを防止することのできる車両のタイヤ洗浄装置および洗浄方法を提供することを目的とするものである。
【課題を解決するための手段】
【０００９】
請求項１記載の車両のタイヤ洗浄装置は、車両の進行方向に順に設置された湿式洗浄機、ロードマットおよびエアーブロー式洗浄機を備え、前記湿式洗浄機は、スプレー水を噴き付けてタイヤに付着した泥や土を落すスプレー水噴射ノズルを備え、前記ロードマットは、タイヤに付着した泥や土を落す複数のリブを備え、かつ前記エアーブロー式洗浄機は、タイヤに付着した泥や土を落し、さらにタイヤを乾燥させる高圧エアー噴射ノズルを備えてそれぞれ構成されていることを特徴とするものである。
【００１０】
本発明は、スプレー水とロードマットと高圧エアーの三つの洗浄手段によってタイヤの洗浄を順に行うことにより、タイヤに付着した泥や土を効率的かつ確実に落すことを可能にしたものであり、特に、溝内の洗い残しの泥や土は、車両がロードマットの上を自走する際にロードマットのリブによって確実に落すことができ、特にスタッドレスタイヤ等のような溝の深いタイヤの洗浄を確実かつ容易に行うことができる。
【００１１】
また、車両がロードマットの上を自走する際、溝内の泥や土がリブによって直接除去され、さらにタイヤがリブに加圧されて変形することにより溝内の泥や土が除去される。
【００１２】
また、タイヤの回転による水切りがなされ、さらに高圧エアーを噴き付けてタイヤに付着した泥や土を落す際に、同時にタイヤの乾燥がなされることにより、洗浄後の車両がそのまま一般道を走行しても道路上に白いタイヤの跡を残したり、水はねによって他の車両や市街地を汚す等の事態を防止することができる。
【００１３】
請求項２記載の車両のタイヤ洗浄装置は、請求項１記載の車両のタイヤ洗浄装置において、湿式洗浄機のスプレー水噴射ノズルは、スプレー水と同時に高圧エアーを噴き付けるように構成されていることを特徴とするものである。
【００１４】
本発明によれば、スプレー水と同時に高圧エアーを噴き付けることにより、タイヤに付着した泥や土をより確実かつ容易に落すことができる。
【００１５】
請求項３記載の車両のタイヤ洗浄方法は、スプレー水を噴き付けてタイヤに付着した泥や土を落す第一工程と、車両にロードマットの上を走行させてロードマットのリブによってタイヤに付着した泥や土を落し、かつタイヤの遠心力によってタイヤに付着した水を除去する第二工程と、高圧エアーを噴き付けてタイヤに付着した泥や土を落し、さらにタイヤを乾燥させる第三工程とからなることを特徴とするものである。
【発明の効果】
【００１６】
本発明は、スプレー水とロードマットと高圧エアーの三つの洗浄手段によってタイヤの洗浄を順に行うことにより、タイヤに付着した泥や土を効率的かつ確実に落すことができ、特に、タイヤの溝内に詰まっている洗い残しの泥や土は、車両がロードマットの上を自走する際にロードマットのリブによって確実に落すことができる。
【００１７】
また、車両がロードマットの上を自走する際に、タイヤの回転による水切りがなされ、さらに高圧エアーを噴き付けてタイヤに付着した泥や土を落す際に、同時にタイヤの乾燥がなされることにより、洗浄後の車両がそのまま一般道を走行しても道路上に白いタイヤの跡を残したり、水はねによって他の車両を汚す等の事態を防止することができる。
【図面の簡単な説明】
【００１８】
【図１】湿式洗浄機、ロードマットおよびエアーブロー式洗浄機の配置状態を示す平面図である。
【図２】湿式洗浄機を示し、（ａ）は図１におけるイ−イ線端面図、（ｂ）は図１におけるロ−ロ線端面図である。
【図３】エアーブロー式洗浄機を示し、（ａ）は図１におけるハ−ハ線端面図、（ｂ）は図１における二−二線端面図である。
【図４】湿式洗浄機を示し、（ａ）は平面図、（ｂ）は図（ａ）におけるホ−ホ線端面図である。
【発明を実施するための形態】
【００１９】
図１〜図４は、本発明の一実施形態を示し、図において、車両Ａの進行方向に湿式洗浄機１、ロードマット２、エアーブロー式洗浄機３がこの順で配置されている。
【００２０】
湿式洗浄機１は、スプレー方式によってタイヤＢに水を噴き付けることによりタイヤＢに付着した泥や土を洗い落すタイヤ洗浄機であり、タイヤＢを車体に取り付けたまま載せる一組のロール４，４、ロール駆動モーター（図省略）、ロールの４，４の上で回転するタイヤＢにその両サイドおよび下から高圧水を吹き付ける複数のスプレー水噴射ノズル５、および洗い落とされた泥や土を排出する排泥コンベヤー６等を備えて構成されている。
【００２１】
ロール４，４は所定間隔をおいて並列に設置され、車両Ａの車体後部に取り付けられたタイヤＢの前輪を載せる前輪用と後輪を載せる後輪用の二組を備えている。
【００２２】
なお、スプレー水噴射ノズル５として、スプレー水と共に高圧エアーを噴き付けるように構成されたタイプの噴射ノズルを使用することにより、タイヤの洗浄効果を高めることができる。
【００２３】
ロードマット２は、本来軟弱地などに敷設することにより沈み込みを防止して安定した仮設道路を提供するマットであり、ロードマット２の上を車両Ａが走行する際、縦リブと横リブによってタイヤＢの特に溝などに付着している洗い残しの泥や土を落し、さらにタイヤＢの回転による遠心力によってタイヤＢに付着した水を切ることができる。なお、ロードマット２は、タイヤＢの汚れ具合などにより数メートルから数十メートルの長さに敷設されている。
【００２４】
そして、エアーブロー式洗浄機３は、車両のタイヤＢに付着した水と泥や土の細粒分を、高圧エアーを噴き付けることにより除去し、さらにタイヤＢの乾燥を行うタイヤ洗浄機であり、タイヤＢを車体に取り付けたまま載せる二組のロール７，７、ロール駆動モーター（図省略）、ロール７，７の上で回転するタイヤＢにその両サイドおよび下から高圧エアーを噴き付ける複数のエアー噴射ノズル８、噴き落とされた泥や土を排出する排泥コンベヤー９等を備えて構成されており、特にエアー噴射ノズル８には周囲の空気を吸い込んでエアーを増幅させ、かつ騒音を発生させないように静音設計されたノズルが用いられている。
【００２５】
また、ロール７，７は所定間隔をおいて並列に設置され、車両Ａの車体後部に取り付けられたタイヤＢの前輪を載せる前輪用と後輪を載せる後輪用の二組を備えている。
【００２６】
なお、エアーブロー式洗浄機３は、湿式洗浄機１の配管にエアーコンプレッサー(75KW程度)を接続して、スプレー水の代わりに高圧エアーを噴射するように湿式洗浄機１を改良して利用することができる。
【００２７】
その際、エアー噴射ノズル８の取付け位置は湿式洗浄機１に取り付けられているスプレー水噴射ノズルの設置数より多くすることにより、タイヤＢに付着した水分と細粒分を効率的に除去することができる。
【００２８】
このような構成において、次に本装置によるトラック等の車両ＡのタイヤＢの洗浄方法について説明する。
【００２９】
(1) 湿式洗浄機による洗浄
湿式洗浄機１のロール４，４の上にタイヤＢを車体ごと載せる。その際、前輪用の一組のロール４，４の上に車体後部に取り付けられたタイヤＢの前輪を、後輪用の一組のロール４，４の上に後輪をそれぞれ載せる。
【００３０】
そして、タイヤＢにスプレー水を高圧で噴き付ける。また、ロール駆動モーターを始動してロール４，４を回転することによりタイヤＢを回転させる。また、排泥コンベヤー６を始動する。
【００３１】
こうして、前輪と後輪のタイヤＢとホイールを数十秒で効率良く洗浄することができる。なお、高圧スプレー水と共に高圧エアーを噴き付けることにより泥や土をより確実に落すことができる。
【００３２】
(2) ロードマット２による洗浄
湿式洗浄機１によって主な泥や土が落せたら、次に車両Ａをロードマット２の上まで前進させ、ロードマット２の上を自走させる。そうすることにより、タイヤＢの特に溝などに残っている泥や土がロードマット２の縦リブと横リブによって落すことができる。また、タイヤＢの回転による遠心力によってタイヤＢに付着している水を切って落すことができる。
【００３３】
(3) エアーブロー式洗浄機３による洗浄
湿式洗浄機１によって主な泥や土が落ち、ロードマット２によって泥や土がほぼ完全に落ち、さらに水切りが完了したら、エアーブロー式洗浄機３のロール７，７の上にタイヤＢを車体ごと載せる。
【００３４】
その際、前輪用の一組のロール７，７の上に車体後部に取り付けられたタイヤＢの前輪を、後輪用の一組のロール７，７の上に後輪をそれぞれ載せる。
【００３５】
そして、タイヤＢにエアーを高圧で噴き付ける。また、ロール駆動モーターを始動してロール７，７を回転することによりタイヤＢを回転さ、排泥コンベヤー９を始動する。こうして、高圧エアーの噴き付けによって前輪の洗浄を行い、続いて後輪の乾燥を行うことができる。
【００３６】
乾燥は概ね１分毎行うことで水切りを行うことができる。また、効率的なエアー消費量(0.4ＭＰa、600/min)があり、特にスタッドレスタイヤ等の溝の深い部分の水や微粒分を除去するのに有効である。
【産業上の利用可能性】
【００３７】
本発明は、工事現場を出入りするトラックやダンプカー等のタイヤに付着した泥や土を効率的にかつ確実に除去することができる。
【符号の説明】
【００３８】
１  湿式洗浄機
２  ロードマット
３  エアーブロー式洗浄機
４  ロール
５  スプレー水噴射ノズル
６  排泥コンベヤー
７  ロール
８  高圧エアー噴射ノズル
９  排泥コンベヤー
【図１】
0005456566.tif 000002
【図２】
0005456566.tif 000003
【図３】
0005456566.tif 000004
【図４】
0005456566.tif 000005